(57)【要約】ローション組成物を塗布した紙製品が提供される。本発明の一実施形態において、ローション組成物は、油及び油溶性のスキンコンディショニング剤を含有することができる油成分と、脂肪アルコール及びワックスを含有することができる固形成分と、水溶性スキンコンディショニング成分と、乳化剤とを含む。典型的には、ローション組成物の付加レベルは、重量で紙製品の約１％から約１０％までの間である。その結果、該紙製品は、使用者の手を乾燥させるのに用いることができ、同時に、皮膚に特定の利点を与えることができる。【特許請求の範囲】
【請求項１】
使用者の皮膚を乾燥させ、該使用者の皮膚の調子を整えるための吸収性紙製品であって、
紙ウェブと、
重量で前記紙製品の約１％から約１０％までの間の付加レベルで前記紙ウェブに塗布するローション組成物と、
を含み、
前記ローション組成物が、
ｉ）重量で前記ローション組成物の約７０％までの量であり、少なくとも１つの油と少なくとも１つの油溶性スキンコンディショニング剤とを含む油成分と、
ｉｉ）重量で前記ローション組成物の約６０％までの量であり、脂肪アルコールと、ワックスと、これらの組み合わせとから成る群から選択された材料を含む固形成分と、
ｉｉｉ）任意選択的に、重量で前記ローション組成物の約８０％までの量の水溶性のスキンコンディショニング成分と、
ｉｖ）任意選択的に、重量で前記ローション組成物の約３５％までの量の乳化剤成分と、
を含むことを特徴とする紙製品。
【請求項２】
前記油成分が、重量で前記ローション組成物の約３０％から約５０％までの間を構成することを特徴とする請求項１に記載の紙製品。
【請求項３】
前記少なくとも１つの油が、重量で前記ローション組成物の約１０％から約６０％までの間の量で存在することを特徴とする請求項１に記載の紙製品。
【請求項４】
前記少なくとも１つの油が、ワセリンを含むことを特徴とする請求項１に記載の紙製品。
【請求項５】
前記少なくとも１つの油溶性スキンコンディショニング剤が、重量で前記ローション組成物の約１％から約１０％までの間の量で存在することを特徴とする請求項１に記載の紙製品。
【請求項６】
前記少なくとも１つの油溶性スキンコンディショニング剤が、トリ（カプリル／カプリン酸）グリセリドを含むことを特徴とする請求項１に記載の紙製品。
【請求項７】
前記固形成分が、重量で前記ローション組成物の約１５％から約４０％までの間を構成することを特徴とする請求項１に記載の紙製品。
【請求項８】
前記固形成分が、少なくとも１つの脂肪アルコールを重量で前記ローション組成物の約１０％から約３０％までの間の量で含むことを特徴とする請求項１に記載の紙製品。
【請求項９】
前記脂肪アルコールが、セチルアルコール、ステアリルアルコール、セテアリルアルコール、アラキルアルコール、ベヘニルアルコール、又はその組み合わせを含むことを特徴とする請求項１に記載の紙製品。
【請求項１０】
前記固形成分が、少なくとも１つのワックスを重量で前記ローション組成物の約５％から約１０％までの間の量で含むことを特徴とする請求項１に記載の紙製品。
【請求項１１】
前記ワックスが、天然ワックス、石油ワックス、シリコーンワックス、合成ワックス、又はその組み合わせを含むことを特徴とする請求項１に記載の紙製品。
【請求項１２】
前記水溶性スキンコンディショニング成分が、重量で前記ローション組成物の約１０％から約４０％までの間を構成することを特徴とする請求項１に記載の紙製品。
【請求項１３】
前記スキンコンディショニング成分が、湿潤剤を含むことを特徴とする請求項１に記載の紙製品。
【請求項１４】
前記湿潤剤が、グリセリンを含むことを特徴とする請求項１３に記載の紙製品。
【請求項１５】
前記乳化剤成分が、重量で前記ローション組成物の約５％から約２５％までの間を構成することを特徴とする請求項１に記載の紙製品。
【請求項１６】
前記乳化剤成分が、ＨＬＢ数が約５を下回る、少なくとも１つの乳化剤を含むことを特徴とする請求項１に記載の紙製品。
【請求項１７】
前記少なくとも１つの乳化剤が、重量で前記ローション組成物の約５％から約２５％までの間を構成することを特徴とする請求項１６に記載の紙製品。
【請求項１８】
前記少なくとも１つの乳化剤が、ステアリン酸グリセリルを含むことを特徴とする請求項１６に記載の紙製品。
【請求項１９】
前記ローションの前記付加レベルが、重量で前記紙製品の約１％から約６％までの間であることを特徴とする請求項１に記載の紙製品。
【請求項２０】
前記ローションの前記付加レベルが、重量で前記紙製品の約１％から約３％までの間であることを特徴とする請求項１に記載の紙製品。
【請求項２１】
前記ローション組成物が、抗菌剤を更に含むことを特徴とする請求項１に記載の紙製品。
【請求項２２】
前記紙製品の坪量が、約１から約５０ポンド／リームの間であることを特徴とする請求項１に記載の紙製品。
【請求項２３】
前記紙製品が、坪量が約１０から約４５ポンド／リームのタオルであることを特徴とする請求項１に記載の紙製品。
【請求項２４】
使用者の皮膚を乾燥させ、使用者の皮膚の調子を整えるための吸収性紙タオルであって、坪量が約１０から約４５ポンド／リームを有し、
紙ウェブと、
付加レベルが重量で前記紙タオルの約１％から約１０％までの間であるように前記紙ウェブに塗布する、ほぼ水を含まないローション組成物と、
を含み、
前記ローション組成物が、
ｉ）重量で前記ローション組成物の約７０％までの量であり、重量で前記ローション組成物の約１０％から約６０％までの間の量の少なくとも１つの油と、重量で前記ローション組成物の約１％から約１０％までの間の量の少なくとも１つの油溶性スキンコンディショニング剤とを含む油成分と、
ｉｉ）重量で前記ローション組成物の約６０％までの量であり、少なくとも１つの脂肪アルコールと任意選択的にワックスとを含み、該脂肪アルコールが、重量で前記ローション組成物の約１０％から約３０％までの間を構成する固形成分と、
ｉｉｉ）重量で前記ローション組成物の約８０％までの量であり、少なくとも１つの湿潤剤を含む水溶性スキンコンディショニング成分と、
ｉｖ）重量で前記ローション組成物の約３５％までの量であり、ＨＬＢ数が約５よりも小さく、重量で前記ローション組成物の約５％から約２５％までの間を構成する少なくとも１つの乳化剤を含む乳化剤成分と、
を含むことを特徴とする紙タオル。
【請求項２５】
前記少なくとも１つの油が、ワセリンを含むことを特徴とする請求項２４に記載の紙製品。
【請求項２６】
前記少なくとも１つの油溶性スキンコンディショニング剤が、トリ（カプリル／カプリン酸）グリセリドを含むことを特徴とする請求項２４に記載の紙製品。
【請求項２７】
前記少なくとも１つの脂肪アルコールが、セチルアルコール、ステアリルアルコール、セテアリルアルコール、アラキルアルコール、ベヘニルアルコール、又はその組み合わせを含むことを特徴とする請求項２４に記載の紙製品。
【請求項２８】
前記ワックスが、天然ワックス、石油ワックス、シリコーンワックス、合成ワックス、又はその組み合わせを含むことを特徴とする請求項２４に記載の紙製品。
【請求項２９】
前記少なくとも１つの湿潤剤が、グリセリンを含むことを特徴とする請求項２４に記載の紙製品。
【請求項３０】
前記少なくとも１つの乳化剤が、ステアリン酸グリセリルを含むことを特徴とする請求項２４に記載の紙製品。
【請求項３１】
前記ローションの付加レベルが、重量で前記紙製品の約１％から約６％までの間であることを特徴とする請求項２４に記載の紙製品。
【請求項３２】
前記ローションの付加レベルが、重量で前記紙製品の約１％から約３％までの間であることを特徴とする請求項１に記載の紙製品。
【請求項３３】
前記ローション組成物が、抗菌剤を更に含むことを特徴とする請求項２４に記載の紙製品。
【請求項３４】
使用者の皮膚を乾燥させ、該使用者の皮膚の調子を整えるための紙製品を作る方法であって、
繊維及び水を含む少なくとも１つの完成紙料でウェブを作り、
前記ウェブを通気乾燥して水を除去し、
その後、付加レベルが重量で前記紙製品の約１％から約１０％までの間となるように、前記乾燥させたウェブをローション組成物で処理することを含み、
前記ローション組成物が、
ｉ）重量で前記ローション組成物の約７０％までの量であり、少なくとも１つの油と少なくとも１つの油溶性スキンコンディショニング剤とを含む油成分と、
ｉｉ）重量で前記ローション組成物の約６０％までの量であり、脂肪アルコールと、ワックスと、これらの組み合わせとから成る群から選択された材料を含む固形成分と、
ｉｉｉ）任意選択的に、重量で前記ローション組成物の約８０％までの量の水溶性のスキンコンディショニング成分と、
ｉｖ）任意選択的に、重量で前記ローション組成物の約３５％までの量の乳化剤成分と、
を含むことを特徴とする方法。
【請求項３５】
前記ローション組成物が、前記紙ウェブ上に印刷されることを特徴とする請求項３４に記載の方法。
【請求項３６】
前記ローション組成物が、前記紙ウェブに噴霧されることを特徴とする請求項３４に記載の方法。
【請求項３７】
前記少なくとも１つの油が、重量で前記ローション組成物の約１０％から約６０％までの間の量で存在することを特徴とする請求項３４に記載の方法。
【請求項３８】
前記少なくとも１つの油溶性スキンコンディショニング剤が、重量で前記ローション組成物の約１％から約１０％までの間の量で存在することを特徴とする請求項３４に記載の方法。
【請求項３９】
前記固形成分が、少なくとも１つの脂肪アルコールを重量で前記ローション組成物の約１０％から約３０％までの間の量で含むことを特徴とする請求項３４に記載の方法。
【請求項４０】
前記固形成分が、少なくとも１つのワックスを重量で前記ローション組成物の約５％から約１０％までの間の量で含むことを特徴とする請求項３４に記載の方法。
【請求項４１】
前記水溶性スキンコンディショニング成分が、重量で前記ローション組成物の約１０％から約４０％までの間を構成することを特徴とする請求項３４に記載の方法。
【請求項４２】
前記乳化剤成分が、ＨＬＢ数が約５を下回る少なくとも１つの乳化剤を含むことを特徴とする請求項３４に記載の方法。
【請求項４３】
前記少なくとも１つの乳化剤が、重量で前記ローション組成物の約５％から約２５％までの間を構成することを特徴とする請求項４２に記載の方法。
【請求項４４】
前記ローションの付加レベルが、重量で前記紙製品の約１％から約６％までの間であることを特徴とする請求項３４に記載の方法。
【請求項４５】
前記ローションの付加レベルが、重量で前記紙製品の約１％から約３％までの間であることを特徴とする請求項３４に記載の方法。
【請求項４６】
前記ローション組成物が、抗菌剤を更に含むことを特徴とする請求項３４に記載の方法。
【請求項４７】
前記紙製品が、坪量が約１０から約４５ポンド／リームまでの間のタオルであることを特徴とする請求項３４に記載の方法。
【発明の詳細な説明】
【０００１】
（背景技術）
ハンドタオルのような吸収性紙製品は、一般に、手洗い中に使用者の皮膚についた流体を吸収するのに使用される。このような紙製品は、皮膚から流体を吸収し、皮膚を乾燥させるように設計されている。しかしながら、人の手や皮膚を洗浄するために用いられることが多い石鹸含有物により、角質層から油分、脂質、及び天然のスキンコンディショナー及び保湿剤が除去されて皮膚が過剰に乾燥し、紅斑、鱗屑、鱗片、及び亀裂のような種々の皮膚の問題に見舞われる恐れがある。また、細菌及びウイルスのような微生物の蔓延又は繁殖により引き起こされる種々の病気に罹りやすい環境では、通常、手を洗う人が多い。
従って、現在、容易に使用者の皮膚に移行して過剰な乾燥及び他の皮膚関連の問題を抑制可能な製剤を含有する紙製品が必要とされている。
【０００２】
（発明の開示）
本発明は、使用者の皮膚を乾燥させると共に、該使用者の皮膚の調子を整えることができる紙製品に関する。本発明の一実施形態によれば、種々の成分を含むローション組成物が紙製品に塗布される。典型的には、ローション組成物の付加レベルは、重量で紙製品の約１％から約１０％までの間である。ローション組成物は、一般に、種々の成分を含有することができる。例えば、ローション組成物は、重量で該ローション組成物の約７０％までの量の油成分を含有する。油成分は、油、油溶性スキンコンディショニング剤等のような種々の異なる含有物を含むことができる。例えば、幾つかの実施形態において、油としてワセリンを用いることができる。更に、所望であれば、油溶性スキンコンディショニング剤として、トリ（カプリル／カプリン酸）グリセリドを用いてもよい。
【０００３】
また、ローション組成物は、重量でローション組成物の約６０％までの量の固形成分（即ち、約２５℃以下で固体）を含む。固形成分は、幾つかの異なる含有物を含むことができる。例えば、幾つかの実施形態において、固形成分は、セチルアルコール、ステアリルアルコール、セテアリルアルコール、アラキルアルコール、ベヘニルアルコール又はその組み合わせのような１つ又はそれ以上の脂肪アルコールを含むことができる。更に、固形成分は、天然ワックス、石油ワックス、シリコーンワックス、合成ワックス、又はその組み合わせのような１つ又はそれ以上のワックスを含むこともできる。
【０００４】
上記の成分のほか、ローションは、重量でローション組成物の約８０％までの量で任意選択的に水溶性スキンコンディショニング成分も含む。幾つかの実施形態において、例えば、水溶性スキンコンディショニング成分は、グリセリンのような湿潤剤を含むことができる。所望であれば、任意選択的な乳化剤成分も、重量でローションの約３５％までの量で、水溶性スキンコンディショニング成分と共に用いることができる。幾つかの実施形態において、乳化剤成分は、ＨＬＢ数が約５を下回る、１つ又はそれ以上の乳化剤を含むことができる。このような乳化剤の例の１つは、ステアリン酸グリセリルである。
【０００５】
本発明の別の実施形態によれば、使用者の皮膚を乾燥させ、該使用者の皮膚の調子を整えるための紙製品を生成する工程が開示される。この工程は、繊維ウェブを形成する段階と、ウェブを通気乾燥し、水を除去する段階と、その後、ローションの付加レベルが重量で前記紙製品の約１％から約１０％までの間となるように、乾燥ウェブをローション組成物で処理する段階とを含む。例えば、幾つかの実施形態において、ローション組成物は、紙ウェブ上に印刷することができる。他の実施形態では、ローション組成物はまた、紙ウェブ上に噴霧することもできる。
【０００６】
本明細書に示すいかなる所与の範囲も、含まれる範囲より狭い全ての範囲を含むよう意図されている点に留意されたい。例えば、４５〜９０の範囲は、５０〜９０、４５〜８０、４６〜８９、及び同等のものもまた含むことになる。従って、９５％から９９．９９９％の範囲は、例えば、９６％から９９．１％、９６．３％から９９．７％、及び９９．９１％から９９．９９９％も含む。
本発明の他の特徴及び様態を以下に詳細に説明する。
【０００７】
（発明を実施するための最良の形態）
次に本発明の種々の実施形態を詳細に参照し、その１つ又はそれ以上の実施例を以下に述べることにする。各実施例は、本発明の説明のためのものであり、本発明を制限するものではない。実際、本発明の範囲又は精神から逸脱することなく、種々の変更形態及び変形形態が可能であることは、当業者には明らかであろう。例えば、一実施形態の一部として図示又は説明した特徴を別の実施形態に用いて、更に別の実施形態を形成することができる。従って、本発明は、添付の請求項及びその同等物の範囲内に含まれるこのような変更形態及び変形形態も含むことを意図する。
【０００８】
一般に、本発明は、人の皮膚を手当てするのに有用なローションを含有する紙製品に関する。詳細には、ローションは、油成分及び固形成分、任意選択的に水溶性スキンコンディショニング成分、任意選択的に乳化剤成分、及び他のスキンコンディショニング剤、抗菌剤等のような他の種々の含有物を含む。本発明のローションに用いる含有物に特定のものを選択し、その量を特定の量にすると、紙製品に塗布したときに相乗作用を引き起こすことができることが分かっている。更に、本発明のローションは、比較的低度の付加レベルで紙製品に塗布して、得られる紙製品の吸収性を維持できることも分かっている。その結果、本発明の紙製品は、洗浄後に皮膚を乾燥させ、同時に、微生物の繁殖、皮膚病、皮膚乾燥等を抑制するような特定の利点を皮膚に与えることができる。
【０００９】
本発明により作られる紙製品には、タオル、拭き材、ナプキン、ティシュペーパー、トイレットペーパー、及び同様のもののような種々の種類の製品を含むことができる。紙製品は、一般に、１つ又は複数の層を有する紙ウェブから生成することができる。また、所望の特性に応じて、紙製品は、１つ又は複数のプライを含有し、各プライが１つ又はそれ以上の層を含むことができる。紙製品の坪量は、特定の用途に応じて変えることができる。例えば、ある実施形態では、紙製品の坪量が、約１から約５０ポンド／２，８８０平方フィート（即ちリーム）であり、約５から約４５ポンド／リームの間である実施形態もある。例えば、紙タオルは、坪量が約１０から約４５ポンド／リームであるように形成されることもあり、ある実施形態では約２０から約３０ポンド／リームの間で形成されることもある。
【００１０】
上述のように、本発明の紙製品には、種々の成分を含有するローションを塗布する。例えば、ローションは、油溶性スキンコンディショニング剤等のような１つ又はそれ以上の油類及び／又は油溶性含有物類を含有する油成分を含有する。組成物中の油成分の量は、一般に様々とすることができる。例えば、油成分の量は、ある実施形態では重量で組成物中の７０％までとすることができ、ある実施形態では重量で組成物の約２０％から約６０％の間とすることができ、またある実施形態では重量で組成物の約３０％から約５０％の間とすることができる。
【００１１】
本発明で用いることができる油には、ワセリンのような石油又は鉱物油、ミンク油及びラノリン油のような動物油、大豆ステロール、ヒマワリ油、及びアボカド油のような植物油、及びアルキルメチルシリコーンのようなシリコーン油が含まれるが、これに限定されない。例えば、一実施形態においては、油としてワセリン、ヒマワリ種子油、及び／又は大豆ステロールを用いると、本発明で特に効果的であることが判明した。更に、用いる油の量は、重量で組成物の７０％までとすることができ、幾つかの実施形態重量では組成物の約１０％から約６０％の間とすることもできる。
【００１２】
更にまた、上述のように、幾つかの実施形態では、油溶性スキンコンディショニング剤を用いることもできる。スキンコンディショニング剤は、一般に、皮膚の保湿、皮膚の柔軟化、皮膚の保護及び同様のことにより皮膚の特定の特性を高めることができる何らかの材料を言う。例えば、スキンコンディショニング剤は、更に皮膚を保湿し、過乾燥及びそれに関連する種々の皮膚病を抑制することができる。用いる油溶性スキンコンディショニング剤の量は、重量で組成物の１５％までとすることができ、幾つかの実施形態では約１％から約１０％の間である。
【００１３】
用いることができる適切な油溶性スキンコンディショニング剤には、カプリン酸、カプロン酸、カプリル酸、カプリル／カプリン混合酸、トリ（カプリル／カプリン酸）グリセリド（例えば、Ｃｒｏｄａ，Ｉｎｃ．により販売されているＣｒｏｄａｍｏｌ　ＧＴＣＣ）、コレステロール、ラウリン酸、ステアリン酸マグネシウム、ミリスチン酸、オレイン酸、パルミチン酸、ペンタエリスリトール、ソルビトール、ステアリン酸、ステアロール（植物）、安息香酸メチルグルセス２０、Ｃ１２〜Ｃ１５安息香酸アルキル（例えば、Ｆｉｎｅｔｅｘ，Ｉｎｃ．により販売されているＦｉｎｓｏｌｖ（登録商標）ＴＮ）のような安息香酸の直鎖状第１級アルキルエステル、エトキシル化セチルステアリルアルコール、Ｆｉｎｓｏｌｖ（登録商標）ＳＬＢ１０１又はＳＬＢ２０１（Ｆｉｎｉｔｅｘ　Ｃｏｒｐ．より販売）等が含まれるが、これに限定されない。例えば、特に効果的な油溶性スキンコンディショニング剤の１つは、トリ（カプリル／カプリン酸）グリセリドであることが判明している。
【００１４】
上記のような油成分を用いると、これで作られるローション組成物に幾つかの利点をもたらすことができる。例えば、油成分の含有物は、使用者の皮膚に塗布されると、保湿剤として働くことができる。具体的には、油成分の含有物は、幾つかの場合では、紙製品を用いた後でも、使用者の皮膚が水分を保持する能力を高める。水分を保持することにより、使用者の皮膚は、過乾燥になりにくくなるほか、紅斑のような特定の皮膚の問題が生じにくくなる。更に、油成分の含有物は、皮膚表面上又は角質層内に留まって潤滑剤として働き、鱗片化を減少させて皮膚の外観を改善することにより、皮膚が、柔らかく滑らかで柔軟な外観を維持するのを助けることもできる。
【００１５】
油成分に加え、本発明のローションは、種々の他の材料を含有することもできる。例えば、上述のように、本発明のローションは、典型的には約２５℃以下で固体である１つ又はそれ以上の含有物を含む固形成分を含有する。例えば、本発明で用いることができる固体含有物には、脂肪アルコール、ワックス及び同様のものが含まれるが、これに限定されない。一般に、固形成分の量は、用いる油成分の量に応じて様々とすることができる。例えば、組成物中の固形成分の量は、ある実施形態では重量で組成物の約６０％までとすることができ、ある実施形態では重量で組成物の約１０％から約５０％の間とすることができ、またある実施形態では重量で組成物の約１５から約４０％の間とすることができる。
【００１６】
例えば、固形成分に用いることができる適切な脂肪アルコールには、例えば、セチルアルコール、ステアリルアルコール、セテアリルアルコール（セチルアルコールとステアリルアルコールとの混合物）、アラキルアルコール、ベヘニルアルコールを含む、炭素鎖の長さがＣ１４〜Ｃ３０のアルコールが含まれるが、これに限定されない。他の適切な脂肪アルコールは、Ｋｌｏｆｔａ他に付与された米国特許第５，８３０，４８７号、及びＬｕｕ他に付与された米国特許第５，８７１，７６３号に記載されており、これらの特許は、引用により全体が本明細書に組み込まれる。脂肪アルコール含有物は、重量で組成物の約５０％まで、ある実施形態では重量で組成物の約５％から約４０％までの間、またある実施形態では重量で組成物の約１０％から約３０％までの間のような、一般に、種々の量で存在することができる。
【００１７】
また更に、上述のように、固形成分は、種々のワックス含有物を含むこともできる。例えば、適切なワックスには、蜜蝋及びカルナウバ蝋のような天然ワックス、パラフィン及びセレシンワックスのような石油ワックス、アルキルメチルシロキサンのようなシリコーンワックス、又は合成蜜蝋及び合成マッコウ鯨ワックスのような合成ワックスが含まれるが、これに限定されない。ワックス含有物は、一般に、種々の量で組成物内に存在することができる。例えば、ワックス含有物は、重量で組成物の約２０％までの量で存在することができ、重量で組成物の約１％から約１５％までの間の実施形態もあり、重量で組成物の約５％から約１０％までの間の実施形態もある。
【００１８】
ローションの固形成分は、幾つかの実施形態では、紙製品の表面に堆積されると、油成分が実質的に紙の内部に入り込むことを抑制する。従って、ある種の液体製剤で処理した紙製品と比較すると、本発明で得られるローションでは、紙製品の表面に保持される割合が大きく、その表面からローションが使用者の皮膚に接触して移行し、種々の利点がもたらされる。更にまた、特定の例では、固形成分の含有物は、使用者の皮膚に鎮静感を与えることもできる。また、組成物が製品の実質的に表面に効果的に配置されているため、付加レベルを低度にして使用し、低価格で同じ利点を与えることができる。
【００１９】
例えば、本発明の発明者は、脂肪アルコールとワックスの組み合わせが、ローションを紙製品の表面に保持し、使用者の皮膚に更に容易に移行できるようにするのを助けるのに特に有用であることを発見した。例えば、一実施形態において、セチルアルコール及び／又はステアリルアルコールをセレシンワックスのような１つ又はそれ以上のワックス類と共に用いることができる。例えば、この実施形態では、セチルアルコールは、重量でローションの約３０％までの量、詳細には重量でローションの約５％から約１５％までの間の量で存在することができ、ステアリルアルコールは、重量でローションの約２０％までの量、詳細には重量でローションの約５％から約１５％の間の量で存在することができる。更に、ワックス含有物は、この実施形態では、重量で組成物の約５％から約１０％の間の量で存在することができる。
【００２０】
上述の成分のほか、本発明のローションは、１つ又はそれ以上の水溶性スキンコンディショニング剤を含有する水溶性スキンコンディショニング成分を任意選択的に含むこともできる。「水溶性」という用語は、親水性・親油性バランス（ＨＬＢ）数が、７又はそれよりも大きい化合物を言う。ＨＬＢ指数は、当技術分野では公知であり、化合物の親水性と親油性溶液傾向の間のバランスを測定する尺度である。ＨＬＢ尺度は、１からほぼ１００までの範囲であり、数が小さければ親油性傾向が高く、数が大きければ、親水性傾向が高いことを表している。
幾つかの実施形態において、水溶性スキンコンディショニング化合物は、重量でローション組成物の約８０％までとすることができ、ある実施形態では重量で組成物の約６０％までとすることができ、ある実施形態では重量で組成物の約１０％から約４０％の間とすることができる。
【００２１】
例えば、一実施形態において、水溶性のスキンコンディショニング化合物は、湿潤剤（即ち、水に対して親和性を有する化合物）を含むことができる。湿潤剤は、一般に、本発明のローションに幾つかの利点をもたらすことができる。例えば、上述のように、紙製品に塗布したローションは、使用後、使用者の手に移行することができる。このローションは、水に親和性がある湿潤剤を含有するため、使用者の皮膚上での水分保持を促進し、経皮水損失を抑制することができる。ローション組成物内に用いられる湿潤剤の量は、様々とすることができる。例えば、湿潤剤の量は、幾つかの実施形態では重量でローション組成物の約３５％までとすることができ、ある実施形態では重量で組成物の約２０％までとすることができ、ある実施形態では重量で組成物の約５％から約２０％の間とすることができる。
【００２２】
本発明で用いることができる適切な水溶性の湿潤剤の例には、グリセリンと、ＰＯＥ−２６グリセリン、ＰＯＥ−７グリセリン、ソルビトール、１，２，６−ヘキサントリオールソルビトール、及びヒドロキシプロピルソルビトールのようなエトキシル化グリセリンと、ＰＣＡナトリウムのようなホスフィン酸カルボン酸（ＰＣＡ）及びその塩と、乳酸、乳酸ナトリウム、及びグリコール酸のようなα−ヒドロキシ酸及びその塩と、グルタミン酸グルコースのようなグルコース誘導体と、プロピレングリコール、ジプロピレングリコール、ポリプロピレングリコール、ポリエチレングリコール、１，３−ブチレングリコール、トリエチレングリコール、及びジプロピレングリコールを含むポリアルキレングリコール及びアルキレンポリオール及びその誘導体と、マルトデキストリン、マルチトール、マンニトール、ジリトール、ポリアスパラギン酸ナトリウム、エトキシル化ひまし油、Ｌｉｐｏ　Ｃｈｅｍｉｃａｌｓから入手可能な種々の湿潤剤（例えばアセトアミドＭＥＡ、エトキシル化グリセリン、ラクトアミドＭＥＡ等）及び同様のもののような他の水溶性湿潤剤とが含まれるが、これに限定されない。例えば、本発明の発明者らは、グリセリンが、使用者の皮膚に潤いを与え、過乾燥及び皮膚の他の問題を防ぐのに特に有用であるとすることができることを発見した。例えばグリセリンは、幾つかの実施形態において、重量でローション組成物の約３５％までの量で用いることができ、ある実施形態では重量で組成物の約２０％までとすることができ、ある実施形態では重量で組成物の約１０％から約２０％の間とすることができる。
【００２３】
更にまた、ローション組成物には、上述のスキンコンディショニング剤のほか、他のスキンコンディショニング剤を用いることもできる。例えば、本発明に用いるのに好適とすることができるスキンコンディショニング剤には、ジメチコン、リン脂質ＳＶ、（即ちステアラミドプロピルＰＧ−ジモニウムクロリドフォスフェート及びセチルアルコール）等が含まれるが、これに限定されない。更に他の適切なスキンコンディショニング剤は、Ｓｍｉｔｈ他に付与された米国特許第４，５５９，１５７号、Ｓｍｉｔｈ他に付与された第４，６９０，８２１号、Ｋｌｏｆｔａ他に付与された第５，８３０，４８７号、及びＬｕｕ他に付与された第５，８７１，７６３号に記載されており、尚、これらの特許は、引用により全体が本明細書に組み入まれる。また、以上又は以下に記載の含有物（例えば油、脂肪アルコール、乳化剤等）及び／又は他の含有物は、いずれもスキンコンディショニング剤としても働くことができることは当然理解されるであろう。
【００２４】
上述の成分のほか、ローション組成物は、１つ又はそれ以上の乳化剤を含有する乳化剤成分を任意選択的に含むことができる。全ての場合において必要であるものではないが、乳化剤は、ローション内の特定の含有物を安定化するのに役立つことができる。用いる場合には、乳化剤成分は、一般に、重量で組成物の約３５％までの量で存在することができ、ある実施例では重量で組成物の約１％から約３０％の間とすることができ、またある実施例では重量で組成物の約５％から約２５％の間とすることができる。
【００２５】
本発明で用いることができる適切な乳化剤には、脂肪酸のアルキレンオキシドエステル、脂肪酸のアルキレンオキシドジエステル、脂肪酸のアルキレンオキシドエーテル等が含まれるが、これに限定されない。このような乳化剤の例には、セテス−２、セテス−６、セテス−１０、セテス−１２、セテアレス−６、セテアレス−１０、セテアレス−１２、セテアレス−２０、ステアレス−２、ステアレス−６、ステアレス−１０、ステアレス−１２、ステアレス−２０、ステアレス−２１、ステアリン酸ＰＥＧ−６、ステアリン酸ＰＥＧ−１０、ステアリン酸ＰＥＧ−１００、ステアリン酸ＰＥＧ−１２、ステアリン酸ＰＥＧ−１０グリセリル、ステアリン酸ＰＥＧ−２０グリセリル、牛脂脂肪酸ＰＥＧ−８０グリセリル、牛脂脂肪酸ＰＥＧ−２００グリセリル、ヤシ脂肪酸ＰＥＧ−３０グリセリル、ヤシ油脂肪酸ＰＥＧ−８０グリセリル、ジラウリン酸ＰＥＧ−８、ジステアリン酸ＰＥＧ−１０、ステアリン酸グリコール、ステアリン酸プロピレングリコール、ジステアリン酸グリコール、ラウリン酸グリセリル、オレイン酸グリセリル、及びその混合物が含まれるが、これに限定されない。
【００２６】
更に別の適切な乳化剤には、ラウレス−４、モノラウリン酸ポリエチレングリコール２０ソルビタン（ポリソルベート２０）、ポリエチレングリコール−５−大豆ステロール、ジステアリン酸ＰＰＧ−２メチルグルコースエーテル、ポリソルベート８０、リン酸セチル、セチルリン酸カリウム、セチルリン酸ジエタノールアミン、ポリソルベート６０、トリオレイン酸ポリオキシエチレン２０ソルビタン（ポリソルベート８５）、モノラウリン酸ソルビタン、トリステアリン酸ソルビタン、ステアリン酸ソルビタン、ジステアリン酸スクロース、オレイン酸ソルビタン、ポリオキシエチレン４ラウリルエーテルステアリン酸ナトリウム、イソステアリン酸ポリグリセリル−４、及びその混合物を含むことができる。上述の乳化剤のほか、更に他の種類の乳化剤を用いることもできる。例えば、本発明に用いることができる他の適切な乳化剤は、ＳａＮｏｇｕｅｉｒａ．Ｊｒ．他に付与された米国特許第６，００１，３７７号に記載されており、尚、この特許は、引用により全体を本明細書に組み込まれる。
【００２７】
一実施形態において、ＨＬＢ数が約５よりも小さいような、比較的ＨＬＢが小さい乳化剤を用いて、水溶性スキンコンディショニング化合物の１つ又はそれ以上の含有物を安定化できることが分かっている。更にまた、ＨＬＢ数が比較的小さい乳化剤は、使用中にローションが水を吸収する能力を高め、本発明の紙製品の吸収特性を高めることもできる。例えば、ＨＬＢ数が比較的小さい適切な乳化剤の例には、ステアリン酸グリセリル、ジステアリン酸スクロース、ステアレス−２、ステアリン酸ソルビタン、ステアリン酸グリコール、ジステアリン酸グリコール、ステアリン酸プロピレングリコール、セテス−２、トリステアリン酸ソルビタン、ラウリン酸グリセリル、オレイン酸グリセリル等が含まれるが、これに限定されない。
【００２８】
使用時には、ＨＬＢ数が比較的小さい乳化剤は、重量で組成物の約３５％まで、ある実施形態では重量で組成物の約１％から約３０％の間、またある実施形態では重量で組成物の約５％から約２５％の間のような種々の量で存在することができる。例えば、本発明の発明者らは、ステアリン酸グリセリルが、グリセリンのような水溶性含有物を安定化するＨＬＢ数が比較的小さい乳化剤として特に有用とすることができることを発見した。また、実際、ステアリン酸グリセリルが、使用者の皮膚に潤いを与えるのを助けることができることも分かっている。例えば、一実施形態において、ステアリン酸グリセリルは、重量で組成物の約１０％から約２５％の間の量で用いることができる。
ＨＬＢ数が比較的小さい乳化剤のほか、ＨＬＢ数が約５を超えるような比較的大きい乳化剤を用いて、本発明のローション内に含まれる特定の水溶性及び／又は水不溶性含有物を安定化することができることは当然理解されであろう。
【００２９】
上述のように、本発明のローション組成物には、種々の他の含有物も用いることができる。例えば、幾つかの実施形態では、抗菌剤（即ち、ウイルス、細菌、菌類、及び他の微生物の増殖を抑制することができる添加剤）をローション組成物に組み込み、使用者の皮膚を消毒及び／又は特定の微生物が更に蔓延するのを抑制することができる。典型的には、本発明に用いられる抗菌剤は、生物学的適合性がある。抗菌剤は、油成分中に可溶であってもよく、浮遊物として油中に存在してもよい。例えば、本発明に用いることができる適切な抗菌剤には、グルコン酸クロルヘキシジンと、パラクロロメタキシレノール（ＰＣＭＸ）と、塩化ベンゼトニウムと、カルボン酸キトサンピロリドンのようなキトサンと、２，４，４’−トリクロロ−２’−ヒドロキシジフェニルエーテル（トリクロサン）等とが含まれるが、これに限定されない。他の適切な抗菌剤は、Ｌｕｕ他付与された米国特許第５，８７１，７６３号、Ｈｏａｎｇ他に付与された米国特許第５，３３４，３８８号、及びＭｉｔｒａ他に付与された米国特許第５，６８６，０８９号に記載されているが、これらの特許は、引用により全体が本明細書に組み込まれる。
【００３０】
本発明のローション組成物に用いる抗菌剤の量は、一般に様々とすることができる。例えば、幾つかの実施形態において、抗菌剤の量は、重量で組成物の約２０％までとすることができ、ある実施形態では重量で組成物の約１０％までとすることができ、またある実施形態では重量で組成物の約０．０１％から約５％の間とすることができる。
更に、幾つかの実施形態においては、ローションは、１つ又はそれ以上の保存料も含むことができる。保存料は、使用の前及び／又は後に、紙製品上の特定の微生物の繁殖を抑制することができる。更にまた、ローション組成物が、使用者の皮膚に移行すると、保存料は、そこでも微生物の繁殖を抑制することができる。本発明のローション組成物に用いる保存料の量は、一般に様々とすることができる。例えば、幾つかの実施形態では、保存料の量を重量で組成物の約５％までとすることができ、ある実施形態では重量で組成物の約３％までとすることができ、またある実施形態では重量で組成物の約０．１％から約２％の間とすることができる。
【００３１】
本発明に用いることができる適切な保存料には、Ｍａｃｋｓｔａｔ　Ｈ６６（イリノイ州シカゴのＭｃｌｎｔｙｒｅ　Ｇｒｏｕｐから入手可能）、ＤＭＤＭヒダントイン（例えば、ニュージャージー州フェアローンのＬｏｎｚａ，Ｉｎｃ．のＧｌｙｄａｎｔ　Ｐｌｕｓ（商標））、ブチルカルボン酸ヨードプロピニル、Ｋａｔｈｏｎ（ペンシルベニア州フィラデルフィアのＲｏｈｍ　ａｎｄ　Ｈａｓｓ）、メチルパラベン、プロピルパラベン、２−ブロモ−２−ニトロプロパン−１，３−ジオール、安息香酸、アミダゾリジニルウレア、ジアゾリジニルウレア及び同様のものが含まれるが、これに限定されない。また、特定の一実施形態において、ＮＩＰＡ　Ｈａｒｄｗｉｃｋから「Ｐｈｅｎｏｎｉｐ」という名称で入手される保存料を用いることができる。他の適切な保存料には、「Ｇｅｒｍａｌｌ　１１５」（アミダゾリジニルウレア）、「Ｇｅｒｍａｌｌ　ＩＩ」（ジアゾリジニルウレア）、及び「Ｇｅｒｍａｌｌ　Ｐｌｕｓ」（ジアゾリジニルウレア及びブチルカルボン酸ヨードプロピニル）のようなＳｕｔｔｏｎ　Ｌａｂｓから販売されているものが含まれる。
【００３２】
また、消費者に対する利点をより高めるために、他の含有物も用いることができる。例えば、用いることができる種類の含有物には、抗座瘡活性剤（座瘡斑点、座瘡吹き出物、黒色腫れ物、及び白色腫れ物を減らすために用いられる薬剤）、消泡剤（製造中の発泡傾向を低減させる）、防腐剤、抗酸化剤（製品完全性）、収斂剤−化粧品（皮膚に張り感又はちくちく感を引き起こす）、収斂剤−薬物（皮膚又は粘膜に塗布した時、滲出、排出、又は出血を抑制する薬剤であり、凝固蛋白により作用する）、生物添加剤（製品の効能又は消費者訴求を高める）、着色剤（製品を着色する）、脱臭剤（不快臭を減少又は消失させ、身体表面に悪臭が形成されるのを防ぐ）、外用鎮痛剤（皮膚感覚受容体を抑制することにより局所鎮痛、麻酔、又は止痒作用を有し、皮膚感覚受容体を刺激することにより局所反対刺激作用を有する局所塗布薬）、フィルム形成剤（乾燥すると皮膚上に連続フィルムを生成することにより、皮膚上に活性含有物を保持する）、香料（消費者訴求）、乳白剤（製品の外観の透明度又は透過度を減少させる）、皮膚剥離剤（αヒドロキシ酸及びβヒドロキシ酸のような皮膚細胞の代謝回転の速度を速くする含有物）、皮膚保護剤（損傷した又は露出した皮膚、又は粘膜表面を有害な又は不快な刺激物から保護する薬剤）、日焼け止め剤（波長２９０から３２０ナノメートルのＵＶ領域の光の少なくとも８５％を吸収するが、波長が３２０ナノメートルより長いＵＶ光を透過する含有物）、及び界面活性剤（洗浄剤、乳化剤、可溶化剤、及び／又は懸濁剤として）が含まれるが、これに限定されない。例えば、一実施形態において、重量でローション組成物の約０．０００５％から約０．００５％の間の量でアロエベラ粉末を用いることができる。
【００３３】
本明細書では種々の含有物を別個に説明したが、１つの含有物によって、その含有物以上の機能を完全に又は部分的に達成する可能性があることを理解されたい。例えば、本発明のローションに用いられる油を、スキンコンディショニング剤としても作用させることができる。
また、幾つかの実施形態において、本発明のローション組成物は、無水、即ちほぼ水を含まない。水の量を最低限にすることにより、得られる組成物は、紙製品の表面により容易に保持されて、使用者の皮膚に移行できる場合がある。また、幾つかの例では、水の利用量を少なくすることにより、種々の種類の微生物の繁殖を抑制することができる。しかしながら、組成物中に少量の水が存在してもよいことを理解されたい。例えば、幾つかの実施形態において、ローション組成物の水含有量は、重量で紙製品の約５％よりも少く、ある実施形態では重量で紙製品の約１％よりも少なく、またある実施形態では重量で紙製品の約０．５％よりも少ない。
【００３４】
上述のローション組成物を形成すると、該組成物は紙製品に塗布することができる。紙製品は、当技術分野で公知の何らかの製紙工程で形成することができる。例えば、本発明の製紙工程には、しぼ寄せ、エンボス加工、湿式成形、二重しぼ寄せ、カレンダ加工のほか、紙ウェブを形成する他の公知の段階を用いることができる。本発明の特定の一実施形態では、非しぼ寄せ通気乾燥のような非圧縮乾燥技術を用いて紙製品を形成している。ある場合には、非しぼ寄せ通気乾燥紙製品は、良好な吸収性及び湿潤弾力性を有することができる。非しぼ寄せ通気乾燥技術の幾つかの実施例は、Ｃｏｏｋ他に付与された米国特許第５，０４８，５８９号、Ｓｕｄａｌｌ他に付与された第５，３９９，４１２号、Ｈｅｒｍａｎｓ他に付与された第５，５１０，００１号、Ｒｕｇｏｗｓｋｉ他に付与された第５，５９１，３０９号、及びＷｅｎｄｔ他に付与された第６，０１７，４１７号に開示されており、これらは、引用により全体が本明細書に組み込まれる。
【００３５】
例えば、非しぼ寄せ通気乾燥は、一般に、（１）セルロース繊維、水、及び任意選択的にデボンダ及び湿潤強化剤のような他の添加物の完成紙料を形成する段階と、（２）小孔付き移動ベルト上に完成紙料を堆積し、該小孔付き移動ベルトの上に繊維ウェブを形成する段階と、（３）繊維ウェブに通気乾燥を行い、水を除去する段階と、（４）小孔付き移動ベルトから乾燥した繊維ウェブを取り除く段階とを含む。
【００３６】
幾つかの実施形態において、乾燥すると、上述のローション組成物を塗布することができる。一般に、本発明のローション組成物は、種々の方法を用いて紙製品に塗布することができる。例えば、一実施形態において、組成物は、直接又は間接（オフセット）のいずれかでグラビア印刷を用いて、紙製品の表面に塗布することができる。グラビア印刷は、紙製品上への組成物の分布の制御及び移行速度を良好に行なうことができる場合がある。更に、フレキソ印刷、噴霧（例えばＷＥＫＯ）、ホットメルト接着剤噴霧（例えばＮｏｒｄｓｏｎ）、ブレード、飽和剤、コーティング、液滴投入、及び泡沫塗布のような他の塗布法を用いることもできる。
【００３７】
また、ローション組成物は、製品を乾燥した後、製品の外表面の一方又は両方に塗布することもできる。マルチプライ紙製品を用いる場合には、ローション組成物は、プライを合わせた後又はプライを合わせる前に塗布することができる。個々のプライは、積層又はブレンド（一様）、しぼ寄せ又は非しぼ寄せ、通気乾燥又は湿式成形とすることができる。例えば、一実施形態において、紙製品は、非しぼ寄せ通気乾燥紙製品である。
【００３８】
また、ローションを紙製品に塗布する別の方法を用いることができる。例えば、最初に、ローションの幾つかの含有物を多孔性の送達媒体に取り込んだ後に紙製品に塗布して、乾燥中及びローションが使用者の皮膚に移行した後に、含有物が、制御可能に放出されるようにすることができる。例えば、用いることができる送達媒体には、マイクロスポンジ、マイクロカプセル、シクロデキストリン及びその誘導体、リポゾーム、ポリマースポンジ、及び噴霧乾燥デンプンが含まれるが、これに限定されない。例えば、幾つかの実施形態において、ローション組成物が、重量でローションの約２５％までの量でマイクロカプセルを含むことができ、ある実施例では重量でローションの約１０％まで含むことができ、またある実施例では重量でローションの約０．２％から約５％の間の量を含むことができる。
【００３９】
例えば、「マイクロスポンジ」の例は、Ｗｏｎに付与された米国特許第４，６９０，８２５号に記載されており、この特許は、引用により全体が本明細書に組み込まれる。有用とすることができる別の送達媒体は、ＰＯＬＹ−ＰＯＲＥ（登録商標）Ｌ２００のようなスポンジ様の材料である。また、本発明での使用に好適とすることができるマイクロカプセルの一例は、ＰＯＬＹ−ＰＯＲＥ（登録商標）Ｅ２００（イリノイ州アーリントンハイツのＣｈｅｍｄａｌ　Ｃｏｒｐ．）であり、この送達体は、送達媒体の重量の１０倍を超える添加剤を含有することができる柔らかい中空の球を有する。
【００４０】
ローションの付加レベルは、一般に、製品特質に関して組成物に望む効果及び特定の組成物に応じて様々とすることができる。本明細書で用いる場合、「付加レベル」という用語は、ローション組成物で処理した紙製品の重量から処理する前の紙製品の重量を引き、この計算した重量を処理した紙製品の重量で割って１００を掛けたものである。例えば、組成物の付加レベルは、紙製品の重量ベースで、約１から約１０重量パーセントまでとすることができ、ある実施形態では約１から約６重量パーセントまでとすることができ、ある実施形態では約１から約５重量パーセントまでとすることができ、またある実施形態では約１から約３重量パーセントまでとすることができる。
本発明は、以下の例を参照してより理解することができる。
【００４１】
例１
本発明による紙製品に用いるためのローションを形成することができることを実証した。詳細には、以下の特徴を有するＡ、Ｂ、及びＣのラベルを付けた３つのローションを形成した。
【００４２】
【表１】
表１　ローション組成物の成分
2004513961.tif 000002
【００４３】
ローション組成物は、全ての成分を約７５℃の温度で溶解するまで混合することにより調製した。
【００４４】
例２
紙製品が、乾燥中に使用者の皮膚の状態を整えることができることを実証した。最初に以下の組成を有するローションを形成した。
【００４５】
【表２】
表２　ローション組成物の成分
2004513961.tif 000003
【００４６】
ローション組成物は、全ての成分を約７５℃の温度で溶解するまで混合することにより調製した。その後、得られたローションは、手動の印刷ロールを使用して、付加レベルが重量でハンドタオルの６％になるように、上述のような方法で作った非しぼ寄せ通気乾燥ハンドタオルに手動で塗布した。タオルは、重量でウェブの５０％の量の再生繊維と、重量でウェブの５０％の量のＰｉｃｔｏｕ北部針葉樹繊維とで作った。Ｐｉｃｔｏｕ繊維は、従来の精製技術を用いて８分間精製した。次に、この完成紙料を機械箱に入れてブレンドした。また、Ｈｅｒｃｕｌｅｓ，Ｉｎｃ．のＫｙｍｅｎｅ（登録商標）５５７Ｈ湿潤強化剤も、２０ポンド／トンの量で機械箱に入れた。更に、その後、Ｗｉｔｃｏ　Ｃ−６００１イミダゾリンベースの柔軟剤を１．５ポンド／トンの量で機械箱に入れた。繊維の完成紙料は、次に、紙ウェブにし、通気乾燥機を用いて乾燥した。得られたハンドタオルの坪量は、２５ポンド／リームであった。
【００４７】
ハンドタオルを作った後、処理したハンドタオルの特質を、次の手順を用いて未処理のハンドタオルと比較した。最初に、１４人の看護婦が、ＩＶＯＲＹ（登録商標）固形石鹸で４回手を洗浄し、折り畳まれた未処理のタオルで手を乾燥させた。各洗浄中、看護婦の手に１５秒間石鹸泡を塗り入念に洗った。
その後、被験者は、更に４回手を洗い、本発明の処理ハンドタオルで手を乾燥させた。第１回目及び第４回目の洗浄後に用いたタオルの数を記録した。５分間の待機時間の後、看護婦は、更に４回手を洗った。最後に、各タオルの全体の手触り及び乾燥能力を比較するように看護婦に頼んだ。
表３は、未処理試料に対し、第１回目及び第４回目の洗浄の後に手を乾燥するために対応する数のタオルを用いた被験者のパーセントを示している。
【００４８】
【表３】
表３　タオル使用（未処理試料）
2004513961.tif 000004
【００４９】
表４は、処理試料に対し、第１回目及び第４回目の洗浄の後に手を乾燥するために対応する数のタオルを用いた被験者のパーセントを示している。
【００５０】
【表４】
表４　タオル使用（処理試料）
2004513961.tif 000005
【００５１】
表３及び表４に示すように、ローション組成物をハンドタオルに加えても、タオルが手を乾燥させる能力に実質的に影響しなかった。例えば、第１回目の洗浄で、手を乾燥するのに４枚のタオルが必要であった被験者のパーセントが、７．０％から１４％に増加しただけである。
また、試料を用いた後の被験者の手の種々の他の特質を以下の表５に示している。
【００５２】
【表５】
表５　手の特質
2004513961.tif 000006
【００５３】
上に示すように、本発明のハンドタオルは、用いると使用者の皮膚に幾つかの有益な効果をもたらすことができる。
【００５４】
更に、ローションが、皮膚の水分及び皮膚障壁特性に影響を及ぼすことができることも試験した。詳細には、９人の被験者を、最初に、７０°Ｆ、相対湿度５０％に制御した部屋に２０分間順応させた。順応させる際に、各被験者には、標準テンプレートを用いて、掌側前腕上に４つの６３ｃｍ２の試験部位の輪郭を描いた。一連のベースラインの測定は、Ｓｋｉｃｏｎ−２００　Ｃｏｎｄｕｃｔａｎｃｅ　Ｍｅｔｅｒ（皮膚水和の測定）及びＤｅｒｍａＬａｂ（登録商標）Ｓｙｓｔｅｍｓ　Ｉｎｓｔｒｕｍｅｎｔ（皮膚障壁損傷の測定）を用いて各試験部位に行った。Ｓｋｉｃｏｎ　Ｍｅｔｅｒでは、各６３ｃｍ２の試験部位に対し５回伝導度を読み取り、平均した。ＤｅｒｍａＬａｂ（登録商標）Ｉｎｓｔｒｕｍｅｎｔでは、各試験部位で１秒ごとに４回読み取り、平均した。
【００５５】
次に、試験部位をＩｖｏｒｙ（登録商標）固形石鹸で洗い、適切なハンドタオル（未処理のタオル及び表２のローションで処理したタオル）で乾燥させた。洗浄は、技術者が、その部位を１０秒間濡らし、第１指と第２指を円形に動かしてＩｖｏｒｙ（登録商標）石鹸で３０秒間泡立て、１５秒間又は部位の石鹸が完全に無くなるまで必要ならばそれ以上の間すすいだ。拭き取りには、各タオルを四つ折にし、次に八つ折りにした。試験部位は、垂直に保持したタオルの一方の側面で下向きに動かして拭き、裏返して他方の側面で拭いた。技術者は、両手を互いに隣接させて各部位の上端から始め、タオルのできるだけ多くの部分が試験部位に確実に接触するように、下向きに動かした。部位を水で濡らし（５秒間）、次に隣接する１／４部分を用いた。乾燥段階は、上述のように更に３回繰り返し、タオル全体を確実に用いるようにした。
【００５６】
この手順は、４日間続けて、一日に４回、各１５分を繰り返した。最後に洗って１時間後に、Ｓｋｉｃｏｎ−２００電気伝導度計及びＤｅｒｍａＬａｂ（登録商標）ＳｙｓｔｅｍｓＩｎｓｔｒｕｍｅｎｔを用いて測定を行った。毎日、合計４枚の未処理のタオル及び４枚の処理済みタオルを用いた。５日目に、ベースライン読み取りのみを行った。Ｓｋｉｃｏｎの結果は、以下の表６に示し、ＤｅｒｍａＬａｂ（登録商標）の結果は、表７に示す。
表６及び表７に示すデータは、未処理タオル及び処理済みタオルに対し、５日間にわたる各日での洗浄前（「ｂ」という）及び一日の最後の洗浄後（「ａ」という）での１日目ベースラインからの平均パーセント変化を表す。ＳｋｉＣｏｎ値がベースラインから低下することは、皮膚水和特性の低下を表し、ＤｅｒｍａＬａｂ（登録商標）値がベースラインから増大することは、皮膚障壁の損傷が増大することを表す。
【００５７】
【表６】
表６　Ｓｋｉｃｏｎ結果（皮膚水和特性）
2004513961.tif 000007
【００５８】
表６に示すように、本発明により処理したタオルでは、未処理のタオルと比較して水分伝導性が改善された。例えば、５日後では、未処理のタオルの水分伝導性は、最初のベースライン水分伝導性より２１％低下したが、処理済みタオルでは同じままであった。
【００５９】
【表７】
表７　ＤｅｒｍＬａｂ（登録商標）結果（皮膚障壁損傷特性）
2004513961.tif 000008
【００６０】
表７に示すように、本発明により処理したタオルでは、未処理のタオルに比較して皮膚障壁特性が改善された。例えば、５日後では、未処理のタオルの皮膚障壁損傷は、最初のベースラインの読みから３１４％増大したが、処理済みタオルでは、２１１％増大したのみであった。
【００６１】
例３
紙製品が、使用者の皮膚を乾燥する間に、皮膚の調子を整えることができることを実証した。最初に、以下の組成を有するローションを作った。
【００６２】
【表８】
表８　ローション組成物の成分
2004513961.tif 000009
＊ジメチコンの７５％を封入したマイクロスポンジ
【００６３】
ローション組成物は、全ての成分を約７５℃の温度で溶解するまで混合することにより調製した。その後、得られたローションは、手動の印刷ロールを使用して、付加レベルが重量でハンドタオルの５％になるように、上述のような方法で作った非しぼ寄せ通気乾燥ハンドタオルに手動で塗布した。タオルは、例２に記載したように作った。
【００６４】
ハンドタオルを作った後、以下の手順を用いて、本発明のハンドタオルの特性を未処理のハンドタオルと比較した。最初に、１４人の看護婦が、ＩＶＯＲＹ（登録商標）固形石鹸で４回手を洗浄し、折り畳まれた未処理のタオルで手を乾燥させた。各洗浄中、看護婦の手に１５秒間石鹸泡を塗り入念に洗った。
その後、被験者は、更に４回手を洗い、本発明の処理ハンドタオルで手を乾燥させた。第１回目及び第４回目の洗浄後に用いたタオルの数を記録した。５分間の待機時間の後、看護婦は、更に４回手を洗った。最後に、各タオルの全体の手触り及び乾燥能力を比較するように看護婦に頼んだ。
【００６５】
表９は、未処理試料に対し、第１回目及び第４回目の洗浄の後に手を乾燥するために対応する数のタオルを用いた被験者のパーセントを示している。
【００６６】
【表９】
表９　タオル使用（未処理試料）
2004513961.tif 000010
【００６７】
表１０は、処理試料に対し、第１回目及び第４回目の洗浄の後に手を乾燥するために対応する数のタオルを用いた被験者のパーセントを示している。
【００６８】
【表１０】
表１０　タオル使用（処理済み試料）
2004513961.tif 000011
【００６９】
表９及び表１０に示すように、ローション組成物をハンドタオルに加えても、タオルが手を乾燥させる能力に実質的に影響しなかった。例えば、第４回目の洗浄で、手を乾燥するのに４枚のタオルが必要であった被験者のパーセントが、０．０％から３．０％に増加しただけである。
【００７０】
また、試料を用いた後の被験者の手の種々の他の特質を以下の表１１に示している。
【００７１】
【表１１】
表１１　手の特質
2004513961.tif 000012
【００７２】
上に示すように、本発明のハンドタオルは、用いると使用者の皮膚に幾つかの有益な効果をもたらすことができる。
更に、ローションが、皮膚の水分伝導性に影響を及ぼすことができることも試験した。詳細には、例２に述べた方法で、未処理タオル及び処理済みタオルの水分伝導性を試験した。Ｓｋｉｃｏｎ及びＤｅｒｍａＬａｂ（登録商標）結果を、以下の表１２及び表１３に示す。表１２及び表１３に示すデータは、未処理タオル及び処理済みタオルに対し、５日間にわたる各日での洗浄前（「ｂ」という）及び一日の最後の洗浄後（「ａ」という）での１日目ベースラインからの平均パーセント変化を表す。ＳｋｉＣｏｎ値がベースラインから低下することは、皮膚水和特性の低下を表し、ＤｅｒｍａＬａｂ（登録商標）値がベースラインから増大することは、皮膚障壁の損傷が増大することを表す。
【００７３】
【表１２】
表１２　Ｓｋｉｃｏｎ結果（皮膚水和特性）
2004513961.tif 000013
【００７４】
表１２に示すように、本発明により処理したタオルでは、未処理のタオルと比較して水分伝導性が改善された。例えば、５日後では、未処理のタオルの水分伝導性は、最初のベースライン水分伝導性より２１％低下したが、処理済みタオルでは最初のベースライン水分伝導性より３％小さくなっただけである。
【００７５】
【表１３】
表１３　ＤｅｒｍＬａｂ（登録商標）結果（皮膚障壁損傷特性）
2004513961.tif 000014
【００７６】
表１３に示すように、本発明により処理したタオルでは、未処理のタオルに比較して皮膚障壁特性が改善された。例えば、５日後では、未処理のタオルの皮膚障壁損傷は、最初のベースラインの読みから３１４％増大したが、処理済みタオルでは、１８３％増大したのみであった。
【００７７】
従って、上記の代表的な例に示されるように、本発明の紙製品は、使用者に多数の利点を提供することができる。具体的には、本発明のローションに用いる含有物に特定のものを選択し、その量を特定の量とすることにより、紙製品に塗布したときに相乗効果をもたらすこと分かっている。例えば、紙製品に塗布したローションは、使用中に使用者の皮膚を保湿するのを助けることができるほか、使用者側に留まって引き続き保湿作用を及ぼすことができる。幾つかの場合では、ローションは、紙製品を用いた後でも使用者の皮膚が水を保持する能力を高めることができる。水を保持することにより、使用者の皮膚は、過乾燥を防止できるほか、紅斑のような特定の皮膚の問題の発生を抑えることができる。更に、ローションは、皮膚表面又は角質層内に留まって潤滑剤として作用し、鱗片化を低減すると共に皮膚の外観を改善することができることにより、皮膚が、柔らく滑らかで、且つ柔軟な外観を維持するのに役立つことができる。幾つかの例では、ローションは、使用者の皮膚を消毒し、種々の微生物の繁殖及び／又は蔓延を抑制するのに役立つこともできる。
【００７８】
また、本発明によって得られる、ローションの低い付加レベルの結果として、これで作る紙製品は、人の皮膚を乾燥させる能力も保持することができる。従って、例えば、最初に、従来の石鹸を用いて手を洗うことができる。その後、本発明の紙製品を用いて濡れた皮膚を乾燥させることができる。
本発明をその特定の実施形態に関して詳細に記載したが、上記事項を理解すれば、このような実施形態の変更形態、変形形態、及び同等物を容易に行なうことができることを当業者であれば理解するであろう。従って、本発明の範囲は、添付の請求項の範囲及びその全ての同等物の範囲であるとみなされる。
【国際公開パンフレット】
2004513961.tif 000015
2004513961.tif 000016
2004513961.tif 000017
2004513961.tif 000018
2004513961.tif 000019
2004513961.tif 000020
2004513961.tif 000021
2004513961.tif 000022
2004513961.tif 000023
2004513961.tif 000024
2004513961.tif 000025
2004513961.tif 000026
2004513961.tif 000027
2004513961.tif 000028
2004513961.tif 000029
2004513961.tif 000030
2004513961.tif 000031
2004513961.tif 000032
2004513961.tif 000033
2004513961.tif 000034
2004513961.tif 000035
2004513961.tif 000036
2004513961.tif 000037
2004513961.tif 000038
2004513961.tif 000039
2004513961.tif 000040
2004513961.tif 000041
2004513961.tif 000042
2004513961.tif 000043
2004513961.tif 000044
2004513961.tif 000045
2004513961.tif 000046
2004513961.tif 000047
2004513961.tif 000048
2004513961.tif 000049
【国際公開パンフレット（コレクトバージョン）】
2004513961.tif 000050
【国際調査報告】
2004513961.tif 000051
2004513961.tif 000052